(57)【要約】【課題】玄関に設置した端末部からの映像を、室内に設置された制御部のモニターに映出して来客などを確認する監視カメラ装置に関するもので、通常動作時における無効電力を抑えつつ、以上時などにおいては、より大きな電力が供給できる構成を提供する。【解決手段】制御部２０より第１の伝送路８を通じて端末部１に送られた定電流電源をその端末部１に設けられた撮像部２の電源として印加するとともに切換部６に印加し、前記制御部２０より第２の伝送路９を通じて送られた定電圧電源を前記切換部６に印加し、その切換部６において前記第１の伝送路８を通じて送られた音声信号のレベルが予め定められたレベル以上の場合、前記定電流電源に代えて前記定電圧電源を前記分離された音声信号を増幅してスピーカー１６に印加するスピーカーアンプ３の電源として選択的に供給することを特徴とする。【選択図】  図１
2004312510.tif 000002
【特許請求の範囲】
【請求項１】
制御部より第１の伝送路を通じて端末部に送られた定電流電源をその端末部に設けられた電気回路部の電源として切換部を介して印加するとともに、前記制御部より第２の伝送路を通じて送られた定電圧電源を前記切換部に印加し、その切換部において前記電気回路部の消費電力が予め定められたレベル以上の場合、前記定電流電源に代えて前記定電圧電源を前記電気回路部に電源として選択的に供給することを特徴とする監視カメラ装置。
【請求項２】
制御部より第１の伝送路を通じて端末部に送られた定電流電源と音声信号を分離部において分離し、その分離された定電流電源を端末部に設けられた撮像部の電源として印加するとともに切換部に印加し、前記制御部より第２の伝送路を通じて送られた定電圧電源を前記切換部に印加し、その切換部において前記分離された音声信号のレベルが予め定められたレベル以上の場合、前記定電流電源に代えて前記定電圧電源を前記分離された音声信号を増幅してスピーカーに印加するスピーカーアンプの電源として選択的に供給することを特徴とする監視カメラ装置。
【請求項３】
前記第２の伝送路により端末部に送られた定電圧電源は、前記撮像部の照明灯の電源としても使用されていることを特徴とする請求項２記載の監視カメラ装置。
【請求項４】
前記スピーカは、前記撮像部を収納する筐体より離れた位置に設けられていることを特徴とする請求項２記載の監視カメラ装置。
【請求項５】
前記制御部側に設けられた異常を検出する検知部が異常を検出した際には、前記第１の伝送路を通じて端末部に伝送する音声信号のレベルを前記の予め定められたレベル以上に増大するように構成したことを特徴とする請求項２記載の監視カメラ装置。
【請求項６】
前記検出部が異常を検出した際には、前記撮像部の照明灯を点滅するように構成したことを特徴とする請求項５記載の監視カメラ装置。
【請求項７】
前記端末部に設けられた呼出釦の操作により発生された呼出信号が、前記第１の伝送線路を通じて前記制御部に伝送され、前記制御部から前記端末部に送られる音声信号のレベルをあらかじめ定められたレベル未満になるように制御することを特徴とする請求項２記載の監視カメラ装置。
【発明の詳細な説明】
【０００１】
【発明の属する技術分野】
本発明は、互いに離れて配置された制御部と端末部を第１および第２の伝送路により接続し、前記端末部内の電気回路部に前記制御部より前記第１および第２の伝送路を介して電源を供給する監視カメラ装置に関するものである。
【０００２】
【従来の技術】
近年防犯意識の高まりによって、例えば、玄関あるいは門柱などに設置した端末部に設けられた撮像部からの映像を、室内などに設置された制御部のモニター画面に映出する監視カメラ装置を設置して、来客の確認などをすることが多くなっている。このような監視カメラ装置は夜間でも撮影を可能とするため、端末部の近傍もしくは端末部に内蔵する形で照明灯が配置されている。また、監視カメラ、音声のためのスピーカアンプおよび前記照明灯などを駆動するための電源を、監視する領域の近傍から得ることが困難なため、端末部からの映像信号や音声信号を制御部に伝送し、制御部からの音声信号を撮影部に伝送する一組の伝送線路を用いて供給する監視カメラ装置が提案されている（例えば、特許文献１参照）。
【０００３】
【特許文献１】
特許第２７８２１３３号公報（第１図）
【０００４】
【発明が解決しようとする課題】
このように１組の伝送線路を用いて制御部からの音声信号を端末部に伝送するとともに、撮像部などの電源を供給する場合、供給する電源が定電流電源の場合には、監視領域が広範囲の場合等で強い光の照明を必要とする場合や、異常時などにおいて制御部から出力する音声が大きい場合などを想定して、常時大きな電流を供給する必要があり、照明を点灯させない場合や音声を出力しない場合等の通常動作時において、無効電力が多くなるという問題があった。
また、供給する電源が定電圧電源の場合には、上記のような無効電力は発生しないが、何らかの原因で伝送線路が短絡した場合に、多大な電流が瞬時に流れ、電源が破壊される、という問題があった。
【０００５】
【課題を解決するための手段】
前述した目的を達成するために、本発明の監視カメラ装置は、制御部より第１の伝送路を通じて端末部に送られた定電流電源をその端末部に設けられた電気回路部の電源として切換部を介して印加し、前記制御部より第２の伝送路を通じて送られた定電圧電源を前記切換部に印加し、前記電気回路部の消費電力が予め定められたレベル以上の場合、その切換部において前記定電流電源に代えて前記定電圧電源を前記電気回路部の電源として選択的に供給することを特徴とする監視カメラ装置であり、通常動作時における無効電力の消費を抑えつつ、非常時などにおいて、例えば、端末部に設けられたスピーカーの出力音声を大きくした際などの電気回路部の消費電力の増大にも対処可能な監視カメラ装置を提供することができる。
【０００６】
【発明の実施の形態】
本発明の請求項１に記載の発明は、制御部より第１の伝送路を通じて端末部に送られた定電流電源をその端末部に設けられた電気回路部の電源として切換部を介して印加するとともに、前記制御部より第２の伝送路を通じて送られた定電圧電源を前記切換部に印加し、その切換部において前記電気回路部の消費電力が予め定められたレベル以上の場合、前記定電流電源に代えて前記定電圧電源を前記電気回路部に電源として選択的に供給することを特徴とする監視カメラ装置であり、通常動作時における無効電力の消費を抑えつつ、非常時などにおいて電気回路部の増大する消費電力にも対処できるものである。
本発明の請求項２に記載の発明は、制御部より第１の伝送路を通じて端末部に送られた定電流電源と音声信号を分離部において分離し、その分離された定電流電源を端末部に設けられた撮像部の電源として印加するとともに切換部に印加し、前記制御部より第２の伝送路を通じて送られた定電圧電源を前記切換部に印加し、その切換部において前記分離された音声信号のレベルが予め定められたレベル以上の場合、前記定電流電源に代えて前記定電圧電源を前記分離された音声信号を増幅してスピーカーに印加するスピーカーアンプの電源として選択的に供給することを特徴とする監視カメラ装置であり、通常動作時における無効電力の消費を抑えつつ、非常時などにおいて出力する音声を大きくするという作用を有する。
本発明の請求項３に記載の発明は、前記第２の伝送路により端末部に送られた定電圧電源は、前記撮像部の照明灯の電源としても使用されていることを特徴とする請求項２記載の監視カメラ装置であり、必要に応じて照明灯を明るいものに取り替えることができるものである。
本発明の請求項４に記載の発明は、前記スピーカは、前記撮像部を収納する筐体より離れた位置に設けられていることを特徴とする請求項２記載の監視カメラ装置であり、前記スピーカは、前記撮像部を収納する筐体より離れた位置に設けられているため、スピーカーの振動により撮像部からの映像がブレルことのないものである。
本発明の請求項５に記載の発明は、前記制御部側に設けられた異常を検出する検知部が異常を検出した際には、前記第１の伝送路を通じて撮影部に伝送する音声信号のレベルを前記の予め定められたレベル異常に増大するように構成したことを特徴とする請求項１記載の監視カメラ装置であり、火災などの異常時には検知部の検知により、スピーカーにより大きな音声で外部に知らせることができるものである。
本発明の請求項６に記載の発明は、前記検出部が異常を検出した際には、前記撮像部の照明灯を点滅するように構成したことを特徴とする請求項５記載の監視カメラ装置であり、火災などの異常時には、自動的に照明灯が点滅して外部に異常の発生を知らせることが出来るものである。
本発明の請求項７に記載の発明は、前記端末部に設けられた呼出釦の操作により発生された呼出信号が、前記第１の伝送線路を通じて前記制御部に伝送され、前記制御部から前記端末部におくられる音声信号のレベルをあらかじめ定められたレベル未満になるように制御することを特徴とする請求項２記載の監視カメラ装置であり、呼出釦を操作した来訪者との会話を適切な大きさの音声で行うことが出来るという作用を有する。
【０００７】
（実施の形態）
以下、本発明の実施の形態について、監視カメラ装置を例にあげ、図１から図４を用いて説明する。図１は本発明の実施の形態における監視カメラ装置の外観を示す正面図であり、１は玄関や門柱などに設置される端末部であり、２ａは撮影用窓、１５は呼び出し釦、１６はスピーカー、１８はマイクロホンである。２０は室内などに設置される制御部であり、２１は画像モニター、２２はスピーカー、２３はマイクロホンである、この制御部２０と端末部１とは、第１の伝送路８と第２の伝送路９とで電気的に接続されている。
図２は前記制御部２０の内部構成を示すブロック図であり、定電流電源よりなる第１の電源供給部２４の出力は、合成部２６を介して第１の伝送路８を通じて前記端末部１に供給されている。前記マイクロホン２３の出力は音声出力部２５および合成部２６を介して前記第１の伝送路８で端末部１に送られている。２７は定電圧電源よりなる第２の電源供給部であり、その出力は第２の伝送路９を通じて端末部１に供給されている。
また、端末部１より第１の伝送路８により重畳して送られてきた映像信号は，合成部２６で分離され、映像モニター２１に映出され、また、端末部１から前記第１の伝送路８により重畳して送られてきた音声信号は前記合成部２６で分離されスピーカー２２に出力されるように構成されている。
図３は前記端末部１の内部を示すブロック図であり、前記第１の伝送路８により伝送された音声信号および電源は分離部４で音声信号と電源に分離され、この分離された電源は撮像部２に供給されるとともに、切換部６を介してスピーカーアンプ３の電源として供給されている。また、前記分離部４で分離された音声信号は前記切換部６，スピーカーアンプ３を介してスピーカー１６に印加されている。
【０００８】
前記第２の伝送路９を通じて送られた定電圧電源は、スイツチ７を介して照明灯５に印加されるとともにレベル検出切換部６に印加されている。
【０００９】
さらに、マイク１８と撮像部２からの音声信号および映像信号は分離部４を介して第１の伝送路８により制御部２０に送られており、呼出釦１５の駆動により呼出信号発生部１７で発生された呼出信号も前記分離部４を介して第１の伝送路８により制御部２０に送られている。
【００１０】
図４は前記切換部６の具体構成例を示すもので、前記第１の伝送路８を通じて送られた定電流電源は、抵抗１１とダイオード１３の直列回路を介してスピーカーアンプ３の電源端子に印加されており、前記第２の伝送路９を通じて送られた定電圧電源は、ツェナーダイオード１２とダイオード１４の直列回路を介してスピーカーアンプ３の前記電源端子に印加されている。
【００１１】
以上の構成において、制御部２０より第１の伝送路８を介して送られた音声信号が、分離部４により分離されスピーカーアンプ３に入力されると、スピーカーアンプ３は電力を消費するため、使用する電流が多くなる。入力される音声信号が大きくなると、第１の伝送線路８から分離された電源のうち抵抗１１に流入する電流が大きくなるため、スピーカーアンプ３に供給される電圧が抵抗１１によって低下する。
するとツェナーダイオード１２を通じて第２の伝送線路９から電流が流入し、スピーカーアンプ３に供給される電圧が高くなるため、ダイオード１３はＯＦＦ、ダイオード１４がＯＮとなり、第１の伝送線路８によって供給される定電流電源から第２の伝送線路９によって供給される定電圧電源に自動的に切り換わる。
以上のような動作により、スピーカーアンプ３の電源を、そのスピーカアンプ３の消費電力によって、すなわち、入力される音声信号のレベルによって第１の伝送線路８から供給される定電流電源と、第２の伝送線路９から供給される定電圧電源とを切り換えて使用することができるため、通常動作時及び出力する音声信号が小さい場合には無効電力を抑えることができ、また、例えば、室内の異常事態を外部に知らせる際等においては、大きな音量で音声信号を出力することができる。
【００１２】
なお、照明灯５はスイッチ７によってＯＮ／ＯＦＦが制御される。このスイッチ７は監視カメラの周辺の明るさを検知して明るい場合にはＯＦＦ、暗い場合にはＯＮとなるため、昼間などの監視カメラ１の周辺が明るい場合には照明灯５は点灯しない。このため、昼間などの場合には、照明を点灯させることなく大きい音声信号を出力することができる。
さらに、照明灯５は可視光である必要は無く、赤外線照明でもかまわない。この場合には、夜間において監視領域に映る不審者と思われる人物に気づかれることなく、撮像部２によって監視が可能であり、不審者と思われる人物に向かって大きな声で呼びかけることができるため、威嚇の効果が増大する。
なお、スピーカーアンプ３から出力された信号を、接続端子を通じて端末部１の筐体より離れた外部スピーカーに接続すれば、大きい音声信号を出力した際に生じるスピーカーの振動が撮像部２に影響せず、ブレのない映像を得ることができる。
【００１３】
次に、住居内の異常を検知した場合、例えば、センサー端子が火災探知機に接続され、室内で火災が発生したことを検知した場合、異常信号が音声出力部２５、第２の電源供給部２７に送られる。室内で助けを求める等の音声をマイク２３が検出すると、音声出力部２５は異常信号によって入力された音声をあらかじめ定められたレベル以上に増幅して出力するように構成されているため、端末部１のスピーカー１６から大きな音量で住居内の異常を外部に知らせることができ、また、この異常信号を第２の伝送路９を介して端末部１に送り、この異常信号により照明灯５を点滅するように構成すれば、目視によっても住居内の異常を外部に知らせることができる。
【００１４】
なお、外部から来訪者があり、来訪者が端末部１の呼出釦１５を操作すると、呼出信号発生部１７によって呼出信号が制御部２０に向けて送られ、制御部２０ではこの呼出信号を受け取ると、室内の音声がマイク２３から音声出力部２５に入力され、音声出力部２５ではあらかじめ定められたレベル以下に増幅されて音声信号となって端末部１に向けて出力され、端末部１に内蔵の内部スピーカー１６より、来訪者に音声が聞こえるように構成されている。また、来訪者の音声はマイク１８に入力され、制御部２０の内蔵スピーカー２２から出力されて居住者に聞こえる。この時、端末部１のスピーカーアンプ３は、第１の伝送線路８を通じて供給された電源によって動作するため、第２の電源供給部２７によって供給される電源に含まれるノイズによって音声が聞き取りづらい、といったことはない。さらに、第２の電源供給部２７を構成する回路には、音声に影響を与えないようにノイズを除去する部分が必要なくなるため、コストも減少する。
以上のような動作により、マンション等の監視システムにおいて、住居内で異常が発生した場合に照明と大きな音量によって確実に外部に住居内の異常を伝えることが可能であり、さらに来訪者が呼出釦を操作することにより来訪者との通話をクリアな音声で行うことが可能となる。
【００１５】
【発明の効果】
以上のように本発明の監視カメラ装置では、端末部に設けられた電気回路の電源を、その電気回路の消費電力のレベルによって第１の伝送線路から供給される低電流電源と、第２の伝送線路から供給される定電圧電源とに切り換えて使用するというものである。これにより、通常動作において無効電力を抑えることができ、また必要に応じて大きな音量で音声信号を出力することができる。
【図面の簡単な説明】
【図１】本発明の、実施の形態における監視カメラ装置の外観を示す平面図
【図２】同監視カメラ装置の制御部のブロック図
【図３】同監視カメラ装置の端末部のブロック図
【図４】同監視カメラ装置に使用される切換部の一例を示す電気回路を示す図
【符号の説明】
１  端末部
２  撮像部
３  スピーカーアンプ
４  分離部
５  照明灯
６  切換部
７  スイッチ
８  第１の伝送線路
９  第２の伝送線路
１６、２２  スピーカー
１８，２３  マイクロホン
２４  第１の電源供給部
２５  音声出力部
２７  第２の電源供給部
【図１】
2004312510.tif 000003
【図２】
2004312510.tif 000004
【図３】
2004312510.tif 000005
【図４】
2004312510.tif 000006